(57)【要約】【課題】静止画像表示も動画表示も可能であって全体として多様な画像表示が可能であり、従来の発光ダイオードを利用した表示器に比べると動画を円滑な動きで表示でき、従来の蛍光発光を利用した表示器と比べると安価に製作できる表示器を提供する。【解決手段】複数個の発光ダイオードＬＥＤを含み、各発光ダイオードを点灯消灯制御して、点灯発光ダイオードと消灯発光ダイオードの組み合わせにより画像表示できる発光ダイオード表示部１と、複数の蛍光発光部２１１、２２１を含み、各蛍光発光部を点灯消灯制御して、点灯蛍光発光部と消灯蛍光発光部の組み合わせにより画像表示できる蛍光表示部２とを有する表示器Ａ。表示器Ａは各種分野で利用でき、例えば遊技機（例えばパチンコ機Ｐ）の状態を表示する表示器として利用できる。【選択図】      図１
0003128820.tif 000002
【実用新案登録請求の範囲】
【請求項１】
予め定めた配列状態に配列された複数個の発光ダイオードを含み、該複数個の発光ダイオードのそれぞれを点灯消灯制御して、点灯発光ダイオードと消灯発光ダイオードの組み合わせにより画像表示できる発光ダイオード表示部と、予め定めた配列状態に配列された複数の蛍光発光部を含み、該複数の蛍光発光部のそれぞれを点灯消灯制御して、点灯蛍光発光部と消灯蛍光発光部の組み合わせにより画像表示できる蛍光表示部とを有し、該蛍光表示部の方が前記発光ダイオード表示部より画像表示領域における画素密度が大きいことを特徴とする表示器。
【請求項２】
前記蛍光表示部は、複数の蛍光発光部を有する平板型蛍光表示管を少なくとも一つ含んでいる請求項１記載の表示器。
【請求項３】
遊技機から該遊技機の状態を示す信号を受けて該遊技機の状態を表示するための遊技機用表示器である請求項１又は２記載の表示器。
【考案の詳細な説明】
【技術分野】
【０００１】
本考案は、各種分野において使用できる表示器に関する。
【背景技術】
【０００２】
表示器は種々のタイプのものが知られているが、その中に、発光素子として発光ダイオードを用い、該発光ダイオードを複数個配列して個々の発光ダイオードを点灯消灯制御し、点灯発光ダイオードと消灯発光ダイオードの組み合わせにより所望の画像を表示する表示器がある。
【０００３】
また、蛍光発光を利用した表示器も知られている。すなわち、蛍光発光部を複数配列して個々の蛍光発光部の点灯消灯を制御し、点灯蛍光発光部と消灯蛍光発光部の組み合わせにより所望の画像を表示する表示器がある。
【０００４】
ここで「画像」とは、数字等の文字、絵、グラフなどである。
【０００５】
上記いずれのタイプの表示器も、各種分野で利用されている。
例えば、パチンコ機、パチスロ機等の遊技機における大当たり回数、スタート回数等を表示することに利用されている。
【０００６】
例えば株式会社遊技通信社発行「遊技通信」２００５年８月号９３頁には、発光ダイオードを利用した遊技機用表示器が掲載されている。
また、例えば同社発行「遊技通信」２００５年９月号７７頁には、蛍光発光を利用した遊技機用表示器が掲載されている。
【０００７】
【非特許文献１】株式会社遊技通信社発行「遊技通信」２００５年８月号９３頁
【非特許文献２】株式会社遊技通信社発行「遊技通信」２００５年９月号７７頁
【考案の開示】
【考案が解決しようとする課題】
【０００８】
上記表示器のうち発光ダイオードを利用した表示器は、数字表示等に広く用いられているが、発光ダイオードの大きさからして画素密度（単位長さ当たり或いは単位面積あたりの画素数）を大きくし難く、そのため、精細な画像の表示や円滑な動きの動画表示には不向きである。
【０００９】
一方、蛍光発光を利用した表示器は、画素密度（（単位長さ当たり或いは単位面積あたりの画素数）を大きくして、それだけ精細に画像表示でき、円滑な動きの動画表示も可能であるが、表示器製作コストが高くつく。
【００１０】
このように発光ダイオードを利用した表示器、蛍光発光を利用した表示器は、それぞれ長所短所がある。
【００１１】
そこで本考案は、静止画像表示も動画表示も可能であって全体として多様な画像表示が可能であり、従来の発光ダイオードを利用した表示器に比べると動画を円滑な動きで表示でき、従来の蛍光発光を利用した表示器と比べると安価に製作できる表示器を提供することを課題とする。
【課題を解決するための手段】
【００１２】
前記課題を解決するため本考案は次の表示器を提供する。すなわち、
予め定めた配列状態に配列された複数個の発光ダイオードを含み、該複数個の発光ダイオードのそれぞれを点灯消灯制御して、点灯発光ダイオードと消灯発光ダイオードの組み合わせにより画像表示できる発光ダイオード表示部と、予め定めた配列状態に配列された複数の蛍光発光部を含み、該複数の蛍光発光部のそれぞれを点灯消灯制御して、点灯蛍光発光部と消灯蛍光発光部の組み合わせにより画像表示できる蛍光表示部とを有し、該蛍光表示部の方が前記発光ダイオード表示部より画像表示領域における画素密度が大きい表示器である。
【００１３】
ここで、画素密度とは画像表示領域における単位長さ当たり或いは単位面積あたりの画素数である。また、「画像」とは数字等の文字、図形、絵、グラフ等の画像である。
【００１４】
本考案に係る表示器によると静止画像表示も動画表示も可能であり、発光ダイオード表示部と蛍光表示部による、それぞれ趣の異なる表示により全体として多様な画像表示が可能である。
【００１５】
また、従来の発光ダイオードを利用した表示器に比べると、蛍光表示部を有しており、且つ、該蛍光表示部の方が前記発光ダイオード表示部より画像表示領域における画素密度が大きいので、該蛍光表示部において精細な静止画像や、円滑な動きを示す動画を表示できる。
【００１６】
また、従来の蛍光発光を利用した表示器と比べると、本考案に係る表示器では、表示の一部を発光ダイオード表示部に担わせることができるようにしてあり、全体が蛍光発光を利用した表示部ではないので、それだけ安価に製作できる。
【００１７】
本考案に係る表示器における前記蛍光表示部は、複数の蛍光発光部を有する平板型蛍光表示管を含むものとすることができる。その場合、蛍光表示部は一つだけの平板型蛍光表示管を有するものでもよいが、２以上の平板型蛍光表示管を有するものでもよい。
【００１８】
本考案に係る表示器は、各種分野で利用することができ、例えば各種広告表示、各種情報の報知表示等に利用でき、また、遊技機から該遊技機の状態を示す信号を受けて該遊技機の状態を表示するための遊技機用表示器としても利用できる。
【００１９】
遊技機用表示器に関してさらに言えば、パチンコ機、パチスロ機等の遊技機における大当たり、小当たり、確変、スタート回数、動作不良、不正使用等の遊技機の状態のうち１又は２以上を表示することに利用できる。
【考案の効果】
【００２０】
以上説明したように本考案によると、静止画像表示も動画表示も可能であって全体として多様な画像表示が可能であり、従来の発光ダイオードを利用した表示器に比べると動画を円滑な動きで表示でき、従来の蛍光発光を利用した表示器と比べると安価に製作できる表示器を提供することができる。
【考案を実施するための最良の形態】
【００２１】
以下本考案に係る表示器の１例（表示器Ａ）について図面を参照して説明する。
図１は表示器Ａの正面図、図２は表示器Ａの側面図である。
【００２２】
図示の表示器Ａは、パチンコ機、パチスロ機等の遊技機（本例ではパチンコ機）の状態を表示できる表示器である。表示器Ａは発光ダイオード表示部１及び蛍光表示部２を内蔵しており、これらは同じく内蔵された基板３上に支持されている。表示部１及び表示部２は表側カバー４で覆われており、これら表示部に表示される画像はカバー４を通して視認することができる。
表示器Ａの裏側は背面板５で覆われている。
【００２３】
図３は発光ダイオード表示部１の概略正面図である。
発光ダイオード表示部１は、予め定めた配列状態に配列された複数個の発光ダイオードを含み、該複数個の発光ダイオードそれぞれを点灯消灯制御して、点灯発光ダイオードと消灯発光ダイオードの組み合わせにより画像表示できる。
発光ダイオード表示部１は本例では複数の数字表示領域を含んでおり、それら数字表示領域は以下のものである。
【００２４】
以下の説明で「スタート回数」とは、遊技者が遊技する遊技機についての該遊技者によるゲーム回数のことである。
【００２５】
図３に示すように、発光ダイオード表示部１における数字表示領域は、本例では、
本日の大当たり回数表示領域１１、
前日の大当たり回数表示領域１１１、
前々日の大当たり回数表示領域１１２、
本日の確変回数表示領域１２、
前日の確変回数表示領域１２１、
前々日の確変回数表示領域１２２、
スタート回数表示領域１３、
過去の最高継続確変回数等の表示に利用されるカスタム表示Ａ領域１５、
過去の最高大当たり回数等の表示に利用されるカスタム表示Ｂ領域１４、
本日、前日及び前々日の平均スタート回数等の表示に利用されるカスタム表示領域１６  、１７及び１８
等である。
【００２６】
上記数字表示領域について「本日大当たり回数表示領域１１」を例にとって説明すると、表示領域１１は図４に示すように、複数の発光ダイオードＬＥＤを所定状態に配列し、その上にフィルムＦを配置し、７セグメント方式で数字表示するものである。
【００２７】
フィルムＦの７セグメント提供部分ｆはその下側に配列された発光ダイオードＬＥＤの点灯により、該ＬＥＤからの光を通過させる一方、７セグメント提供部分ｆ以外のフィルム部分は光を通過させない。他の数字表示領域も同様にして数字表示できるようになっている。
【００２８】
蛍光表示部２は、複数の蛍光発光部を有する平板型蛍光表示管からなるものであり、予め定めた状態に配列された多数の蛍光発光部を含み、該各蛍光発光部を点灯消灯制御し、点灯蛍光発光部と消灯蛍光発光部の組み合わせにより画像表示できる。蛍光表示部２は複数の画像表示領域を含んでいる。
【００２９】
それら画像表示領域は、図５に示すように、本例では、静止画（文字、図形、絵等の各種静止画）は勿論のこと動画も表示できる上段表示領域２１及びスタート回数等を示すグラフ等を表示できる下段表示領域２２である。動画表示には、文字等のスクロール表示や、例えば地球が回転している状態を立体的に示す立体的動画表示も含まれる。
【００３０】
表示領域２１には蛍光発光部２１１がマトリスク状に配列されており、表示領域２２にも蛍光発光部２２１がマトリスク状に配列されている。
【００３１】
前記の発光ダイオード表示部１においては、概ね各発光ダイオードＬＥＤが画素を提供しているが、蛍光表示部２では各蛍光発光部２１１（２２１）が画素を提供している。
蛍光表示部２は、その表示領域２１、２２それぞれの画素密度は発光ダイオード表示部１におけるいずれの表示領域における画素密度よりも大きい。本例では、蛍光表示部２の表示領域２１、２２のそれぞれは、単位面積当たりの画素数でみても、単位長さあたりの画素数でみても、発光ダイオード表示部１のいずれの表示領域よりも画素数が多い。従って、発光ダイオード表示部１より精細な画像を表示でき、円滑な動きの動画を表示できる。
【００３２】
表示器Ａは、以上のほか、発光ダイオード及び（又は）電球からなる光表示部ａ１、ａ２、ａ３や呼び出しボタンＢも備えている。
【００３３】
表示器Ａの制御回路を図６を参照して説明する。
表示器Ａは、図６に示すように、発光ダイオード表示部１の各発光ダイオードの点灯消灯（この点灯消灯には点滅させる場合には点滅も含まれる）の制御及び蛍光表示部２の各蛍光発光部の点灯消灯（この点灯消灯には点滅させる場合には点滅も含まれる）の制御並びに光表示部ａ１、ａ２、ａ３の点灯消灯（この点灯消灯には点滅させる場合には点滅も含まれる）の制御を行う制御部Ｃｏｎｔを含んでいる。
【００３４】
制御部Ｃｏｎｔは発光ダイオード表示部１の駆動回路Ｃ１を制御することで該表示部１の各発光ダイオードＬＥＤの点灯消灯を制御し、蛍光表示部２の駆動回路Ｃ２を制御することで該表示部２の各蛍光発光部２１１、２２１の点灯消灯を制御し、光表示部ａ１〜ａ３の駆動回路Ｃ３を制御することで該表示部の各光源の点灯消灯を制御する。
【００３５】
制御部Ｃｏｎｔは、パチンコ機Ｐから送られてくる大当たり情報、確変回数情報、スタート回数情報等の各種情報のほか、不正行為情報等を入力する端子ＣＮ１１、ＣＮ１２・・・を有している。
また、制御部Ｃｏｎｔには、前記呼出しボタンＢが接続されている。
【００３６】
制御部Ｃｏｎｔには  表示のために要求される各種演算を行うための演算部も含まれている。
【００３７】
制御部Ｃｏｎｔは、さらに、蛍光表示部２の上段表示領域２１に平常時の静止画及び（又は）動画を表示するための平常時画像データ、大当たり時等の静止画及び（又は）動画を表示するための画像データ、不正行為発生時の静止画及び（又は）動画を表示するための不正時画像データ等のデータを有している。
【００３８】
かくして表示器Ａは、制御部等をパチンコ機Ｐに線群Ｌ（図２参照）にて接続することで、パチンコ機Ｐから制御部Ｃｏｎｔに送られてくる情報に応じて、表示部１又は（及び）２において所定の画像を表示し、また、パチンコ機Ｐから制御部Ｃｏｎｔに送られてくる情報に応じて、表示部３において該入力情報に応じた光表示を行う。表示部３は呼出しボタンＢが押されると、それに応じた光表示も行う。
【００３９】
以上説明した表示器Ａは、静止画像表示も動画表示も可能であり、発光ダイオード表示部１と蛍光表示部２による、それぞれ趣の異なる表示により全体として多様な画像表示が可能である。
【００４０】
また、従来の発光ダイオードを利用した表示器に比べると、蛍光表示部２を有しており、且つ、該蛍光表示部２の方が発光ダイオード表示部１より画像表示領域における画素密度が大きいので、蛍光表示部２において精細な静止画像や、円滑な動きを示す動画を表示できる。
【００４１】
また、従来の蛍光発光を利用した表示器と比べると、表示器Ａでは、表示の一部を発光ダイオード表示部１に担わせることができるようにしてあり、全体が蛍光発光を利用した表示部ではないので、それだけ安価に製作できる。
【産業上の利用可能性】
【００４２】
本考案は多様な表示を行うことができ、各種分野で利用でき表示器を提供することに利用できる。
【図面の簡単な説明】
【００４３】
【図１】本考案に係る表示器の１例の正面図である。
【図２】図１に示す表示器の側面図である。
【図３】発光ダイオード表示部の概略正面図である。
【図４】発光ダイオード表示部における数字表示領域の説明図である。
【図５】蛍光表示部の概略正面図である。
【図６】図１の表示器の制御回路の概略を示すブロック図である。
【符号の説明】
【００４４】
Ａ            表示器
１            発光ダイオード表示部
１１〜１８    発光ダイオード表示部の表示領域
ＬＥＤ        発光ダイオード
Ｆ            フィルム
ｆ            ７セグメント提供部分
２            蛍光表示部
２１          上段表示領域
２２          下段表示領域
２１１、２２１  蛍光発光部
ａ１〜ａ３    光表示部
３            基板
４            表側カバー
５            背面板
Ｌ            線群
Ｂ            呼出しボタン
Ｃｏｎｔ      制御部
ＣＮ１１等    制御部Ｃｏｎｔの情報入力端子
Ｃ１          発光ダイオード表示部の駆動回路
Ｃ２          蛍光表示部の駆動回路
Ｃ３          光表示部ａ１〜ａ３の駆動回路
Ｐ            パチンコ機
【図１】
0003128820.tif 000003
【図２】
0003128820.tif 000004
【図３】
0003128820.tif 000005
【図４】
0003128820.tif 000006
【図５】
0003128820.tif 000007
【図６】
0003128820.tif 000008